(57)【要約】【課題】  建物の梁に横架材を取付けるに際し、溶接に伴なう熱影響を回避するとともに、他の部材に干渉することなく、しかも横架材の加工を容易にし、建物の梁への取付作業性も向上すること。【解決手段】  建物の大梁２１に小梁２２を取付ける小梁取付構造において、小梁２２の端部の全部をその長手方向に対し直角に切断した取付端に取付部材２３を溶接固定し、この取付部材２３を大梁２１の上部水平面２１Ａに載せて該上部水平面２１Ａと垂直面２１Ｂにボルト接合したもの。【選択図】  図２
2008014126.tif 000002
【特許請求の範囲】
【請求項１】
建物の梁に横架材を取付ける横架材取付構造において、
横架材の端部の全部をその長手方向に対し直角に切断した取付端に取付部材を溶接固定し、この取付部材を梁の上部水平面に載せて該上部水平面と垂直面にボルト接合したことを特徴とする建物の横架材取付構造。
【請求項２】
建物の大梁に小梁を取付ける小梁取付構造において、
小梁の端部の全部をその長手方向に対し直角に切断した取付端に取付部材を溶接固定し、この取付部材を大梁の上部水平面に載せて該上部水平面と垂直面にボルト接合したことを特徴とする建物の小梁取付構造。
【請求項３】
前記取付部材が小梁の取付端の垂直端部に溶接固定される取付片と、取付片の上端から水平に延びる上支持片と、取付片の下端から水平に延びた後に垂直に折り曲げられる下支持片とを有し、
取付部材の上支持片が大梁の上部水平面に載せられてボルト接合されるとともに、取付部材の下支持片の垂直折り曲げ部が大梁の垂直面にボルト接合される請求項２に記載の建物の小梁取付構造。
【請求項４】
前記取付部材が小梁の取付端の垂直端部に溶接固定される取付片と、取付片の上端から水平に延びる上支持片と、取付片の下端から水平に延びる下支持片とを有し、
取付部材の上支持片が大梁の上部水平面に載せられてボルト接合されるとともに、取付部材の下支持片が大梁の下部水平面に添設されてボルト接合される請求項２に記載の建物の小梁取付構造。
【請求項５】
前記小梁が角鋼管からなり、該角鋼管の端部の全部をその長手方向に対し直角に切断して前記取付端を形成する請求項３又は４に記載の建物の小梁取付構造。
【請求項６】
前記大梁が形鋼からなり、前記取付部材が該形鋼の上部フランジとウエブにボルト接合される請求項３又は５に記載の建物の小梁取付構造。
【請求項７】
前記大梁が形鋼からなり、前記取付部材が該形鋼の上部フランジと下部フランジにボルト接合される請求項４又は５に記載の建物の小梁取付構造。
【請求項８】
前記取付部材の下支持片の長さが、大梁に対する小梁の取付位置調整代とされてなる請求項３、５、６のいずれかに記載の建物の小梁取付構造。
【請求項９】
前記取付部材の取付片に小梁溶接用舌片部を設け、小梁の取付端の垂直端部の側面がこの小梁溶接用舌片部に溶接固定される請求項３、５、６のいずれかに記載の建物の小梁取付構造。
【請求項１０】
前記取付部材の下支持片の垂直折り曲げ部がボルト接合される大梁の垂直面に凸部を設け、この凸部の高さが大梁に対する小梁の取付位置調整代とされてなる請求項３、５、６のいずれかに記載の建物の小梁取付構造。
【請求項１１】
前記取付部材の上下の支持片が大梁の上下の水平面を外側から挟み込んでなる請求項４、５、６のいずれかに記載の建物の小梁取付構造。
【請求項１２】
前記大梁及び小梁が建物ユニットを構成する請求項２〜９のいずれかに記載の建物の小梁取付構造。
【発明の詳細な説明】
【技術分野】
【０００１】
本発明は建物ユニットの大梁に小梁を取付ける等、建物の横架材取付構造及び小梁取付構造に関する。
【背景技術】
【０００２】
特許文献１等に記載の建物ユニットでは、図９に示す如く、大梁１に小梁２を取付ける小梁取付構造として、小梁２の取付端に溶接固定したＣ字状取付部材３の上下の取付片を、Ｃ形鋼製大梁１の上下のフランジに載せて溶接固定するものを開示している。
【特許文献１】特開平5-33407
【発明の開示】
【発明が解決しようとする課題】
【０００３】
小梁２の取付部材３を大梁１に溶接固定する従来の取付構造は、溶接に際しての取付部材３の位置決め精度が低くて足り、また溶接肉盛が小さいために取付けの納まりや寸法調整が容易になる利点がある。ところが、大梁が溶接に伴なう熱影響で微妙に変形し、建物ユニットの寸法精度を向上することに困難がある。
【０００４】
尚、溶接に伴なう熱影響を回避するため、図１０に示す如く、小梁２の取付部材３の上下の取付片を、大梁１の上下のフランジにボルト４で接合することも考えられる。ところが、大梁１の下フランジの下にボルト４の頭が突出し、このボルト４の頭が基礎や下階天井梁等の他の部材５の上面に干渉する不都合を生ずる。
【０００５】
また、本出願人は、溶接に伴なう熱影響を回避するとともに、他の部材との干渉を回避するため、図１１に示す如く、小梁２の取付部材３の垂直取付片を、大梁１のウエブにボルト４で接合するものを提案している。ところが、小梁２の端部の概ね上半部を削除して上記取付片を形成するものであるため、その加工に困難を伴なうし、小梁２の取付部材３を大梁１にボルト接合するときに該小梁２を定位置に持ち上げておくための設備が必要になる。
【０００６】
本発明の課題は、建物の梁に横架材を取付けるに際し、溶接に伴なう熱影響を回避するとともに、他の部材に干渉することなく、しかも横架材の加工を容易にし、建物の梁への取付作業性も向上することにある。
【０００７】
本発明の他の課題は、大梁に小梁を取付けるに際し、溶接に伴なう熱影響を回避するとともに、他の部材に干渉することなく、しかも小梁の加工を容易にし、建物の大梁への取付作業性も向上することにある。
【０００８】
また、本発明の課題は、建物の梁に横架材を取付けるに際し、溶接に伴なう熱影響を回避するとともに、しかも横架材の加工を容易にし、建物の梁への取付作業性も向上することにある。
【０００９】
本発明の他の課題は、大梁に小梁を取付けるに際し、溶接に伴なう熱影響を回避するとともに、しかも小梁の加工を容易にし、建物の大梁への取付作業性も向上することにある。
【課題を解決するための手段】
【００１０】
請求項１の発明は、建物の梁に横架材を取付ける横架材取付構造において、横架材の端部の全部をその長手方向に対し直角に切断した取付端に取付部材を溶接固定し、この取付部材を梁の上部水平面に載せて該上部水平面と垂直面にボルト接合したものである。
【００１１】
請求項２の発明は、建物の大梁に小梁を取付ける小梁取付構造において、小梁の端部の全部をその長手方向に対し直角に切断した取付端に取付部材を溶接固定し、この取付部材を大梁の上部水平面に載せて該上部水平面と垂直面にボルト接合したものである。
【００１２】
請求項３の発明は、請求項２の発明において更に、前記取付部材が小梁の取付端の垂直端部に溶接固定される取付片と、取付片の上端から水平に延びる上支持片と、取付片の下端から水平に延びた後に垂直に折り曲げられる下支持片とを有し、取付部材の上支持片が大梁の上部水平面に載せられてボルト接合されるとともに、取付部材の下支持片の垂直折り曲げ部が大梁の垂直面にボルト接合されるようにしたものである。
【００１３】
請求項４の発明は、請求項２の発明において更に、前記取付部材が小梁の取付端の垂直端部に溶接固定される取付片と、取付片の上端から水平に延びる上支持片と、取付片の下端から水平に延びる下支持片とを有し、取付部材の上支持片が大梁の上部水平面に載せられてボルト接合されるとともに、取付部材の下支持片が大梁の下部水平面に添設されてボルト接合されるようにしたものである。
【００１４】
請求項５の発明は、請求項３又は４の発明において更に、前記小梁が角鋼管からなり、該角鋼管の端部の全部をその長手方向に対し直角に切断して前記取付端を形成するようにしたものである。
【００１５】
請求項６の発明は、請求項３又は５の発明において更に、前記大梁が形鋼からなり、前記取付部材が該形鋼の上部フランジとウエブにボルト接合されるようにしたものである。
【００１６】
請求項７の発明は、請求項４又は５の発明において更に、前記大梁が形鋼からなり、前記取付部材が該形鋼の上部フランジと下部フランジにボルト接合されるようにしたものである。
【００１７】
請求項８の発明は、請求項３、５、６のいずれかの発明において更に、前記取付部材の下支持片の長さが、大梁に対する小梁の取付位置調整代とされてなるようにしたものである。
【００１８】
請求項９の発明は、請求項３、５、６のいずれかの発明において更に、前記取付部材の取付片に小梁溶接用舌片部を設け、小梁の取付端の垂直端部の側面がこの小梁溶接用舌片部に溶接固定されるようにしたものである。
【００１９】
請求項１０の発明は、請求項３、５、６のいずれかの発明において更に、前記取付部材の下支持片の垂直折り曲げ部がボルト接合される大梁の垂直面に凸部を設け、この凸部の高さが大梁に対する小梁の取付位置調整代とされてなるようにしたものである。
【００２０】
請求項１１の発明は、請求項４、５、６のいずれかの発明において更に、前記取付部材の上下の支持片が大梁の上下の水平面を外側から挟み込んでなるようにしたものである。
【００２１】
請求項１２の発明は、請求項２〜９のいずれかの発明において更に、前記大梁及び小梁が建物ユニットを構成するようにしたものである。
【発明の効果】
【００２２】
（請求項１）
(a)横架材の取付端に溶接固定した取付部材を梁の上部水平面と垂直面にボルト接合した。横架材を梁にボルト接合し、溶接するものでないから、梁が溶接に伴なう熱影響で変形することを防止できる。また、ボルトは梁の上部水平面と垂直面に接合されるから、ボルトが梁の下に配置される他の部材に干渉することがない。
【００２３】
(b)横架材の端部の全部をその長手方向に対し直角に切断して取付端を形成するものであり、横架材は容易である。
【００２４】
(c)横架材の取付端に溶接固定した取付部材を梁の上部水平面に載せて該上部水平面と垂直面にボルト接合することで、横架材を建物の梁に対する定位置に仮止めでき、その取付作業性を向上できる。
【００２５】
（請求項２）
(d)小梁の取付端に溶接固定した取付部材を大梁の上部水平面と垂直面にボルト接合した。小梁を大梁にボルト接合し、溶接するものでないから、大梁が溶接に伴なう熱影響で変形することを防止できる。また、ボルトは大梁の上部水平面と垂直面に接合されるから、ボルトが大梁の下に配置される他の部材に干渉することがない。
【００２６】
(e)小梁の端部の全部をその長手方向に対し、直角に切断して取付端を形成するものであり、小梁の加工は容易である。
【００２７】
(f)小梁の取付端に溶接固定した取付部材を大梁の上部水平面に載せて該上部水平面と垂直面にボルト接合することで、小梁を建物の大梁に対する定位置に仮止めでき、その取付作業性を向上できる。
【００２８】
（請求項３）
(g)取付部材が小梁の取付端の垂直端部に溶接固定される取付片と、取付片の上端から水平に延びる上支持片と、取付片の下端から水平に延びた後に垂直に折り曲げられる下支持片とを有するものとすることにより、上述(d)〜(f)の取付部材を単純形状にし、この取付部材を簡易に小梁の取付端に溶接固定するとともに、この取付部材を大梁に安定的にボルト接合できる。
【００２９】
（請求項４）
(h)取付部材が小梁の取付端の垂直端部に溶接固定される取付片と、取付片の上端から水平に延びる上支持片と、取付片の下端から水平に延びる下支持片とを有するものとすることにより、上述(d)〜(f)の取付部材を単純形状にし、この取付部材を簡易に小梁の取付端に溶接固定するとともに、この取付部材を大梁に安定的にボルト接合できる。
【００３０】
（請求項５）
(i)角鋼管からなる小梁の端部の全部をその長手方向に対し直角に切断することにより、上述(g)、(h)の小梁の取付端を簡易に形成できる。
【００３１】
（請求項６）
(j)小梁の取付端に溶接固定した取付部材を形鋼からなる大梁の上フランジとウエブに安定的にボルト接合できる。
【００３２】
（請求項７）
(k)小梁の取付端に溶接固定した取付部材を形鋼からなる大梁の上フランジと下フランジに安定的にボルト接合できる。
【００３３】
（請求項８）
(l)相対する大梁の間に小梁を架け渡すに際し、大梁の板厚が変化すると、小梁が配置される大梁の内法間隔が変動し、大梁に対する小梁の取付位置が変動することになる。本発明では、取付部材の下支持片の長さを調整代とすることにより、一定長の小梁を用いながら、大梁に対する小梁の取付位置を簡易に調整できる。
【００３４】
（請求項９）
(m)相対する大梁の間に小梁を架け渡すに際し、大梁の板厚が変化すると、小梁が配置される大梁の内法間隔が変動し、大梁に対する小梁の取付位置が変動することになる。本発明では、取付部材の取付片に設けた小梁溶接用舌片部に対する、小梁の取付端における垂直端部の側面の溶接固定位置を調整することにより、一定長の小梁を用いながら、大梁に対する小梁の位置を簡易に調整できる。
【００３５】
（請求項１０）
(n)相対する大梁の間に小梁を架け渡すに際し、大梁の板厚が変化すると、小梁及び取付部材が配置される大梁の内法間隔が変動し、大梁に対する小梁及び取付部材の取付位置が変動することになる。本発明では、取付部材の下支持片の垂直折り曲げ部がボルト接合される大梁の垂直面に凸部を設け、この凸部の高さが大梁に対する小梁の取付位置調整代とすることにより、一定長、一定形状の小梁及び取付部材を用いながら、大梁に対する小梁及び取付部材の位置を簡易に調整できる。
【００３６】
（請求項１１）
(o)相対する大梁の間に小梁を架け渡すに際し、大梁の板厚が変化すると、小梁及び取付部材が配置される大梁の内法間隔が変動し、大梁に対する小梁及び取付部材の取付位置が変動することになる。本発明では、大梁の板厚が変化してもその全高が板厚に関係なく一定であるとき、取付部材の上下の支持片が大梁の上下の水平面を外側から挟み込んでなるものとすることにより、一定長、一定形状の小梁及び取付部材を用いながら、大梁に対する小梁及び取付部材の取付位置を簡易に調整できる。
【００３７】
（請求項１２）
(p)建物ユニットの大梁に小梁を取付けるに際し、上述(d)〜(o)を実現できる。
【発明を実施するための最良の形態】
【００３８】
図１は実施例１の建物ユニットを示す斜視図、図２は小梁の取付構造を示し、（Ａ）は全体図、（Ｂ）は要部拡大図、図３は小梁を示し、（Ａ）は正面図、（Ｂ）は端面図、図４は取付部材を示し、（Ａ）は正面図、（Ｂ）は側面図、図５は小梁の取付構造の施工手順を示す模式図、図６は小梁の取付位置調整構造を示し、（Ａ）は大梁の板厚が小さい場合を示す正面図、（Ｂ）は大梁の板厚が大きい場合を示す正面図、図７は実施例２の取付部材を示し、（Ａ）は正面図、（Ｂ）は側面図、（Ｃ）は平面図、図８は小梁の取付構造の施工手順を示す模式図、図９は従来例を示す正面図、図１０は参考例を示す正面図、図１１は参考例を示す正面図、図１２は実施例３の小梁の取付構造を示し、（Ａ）は大梁の板厚が小さい場合を示す正面図、（Ｂ）は大梁の板厚が大きい場合を示す正面図、図１３は実施例４の小梁の取付構造を示す正面図である。
【実施例】
【００３９】
（実施例１）
本発明を建物ユニット１０に適用した例について説明する。本実施例の建物ユニット１０は、図１に示す如く、４本の角鋼管製柱１１の下端部間にＣ形鋼製床大梁２１を架け渡すとともに、それら柱１１の上端部間にＣ形鋼製天井梁３１を架け渡した箱形骨組構造体である。そして、建物ユニット１０は、相対する床大梁２１に角鋼管製床小梁２２が取付部材２３を介して架け渡され、床小梁２２の上面に不図示の床根太、床面材が設けられる。また、建物ユニット１０は、相対する天井大梁３１に天井根太３２が架け渡され、天井根太３２の下面に不図示の天井面材が設けられる。
【００４０】
建物ユニット１０は、図２に示す如く、床小梁２２の左右の各端部の全部をその長手方向に対し直角に切断した取付端に取付部材２３を溶接固定し（溶接部Ｗ）、この取付部材２３を、相対する床大梁２１の上部水平面２１Ａ（床大梁２１の上部フランジの上面）に載せて、該上部水平面２１Ａと垂直面２１Ｂ（床大梁２１のウエブにおいて建物ユニット１０の内部に臨む内側面）に、上下２本のボルト２４でボルト接合される。
【００４１】
床大梁２１は、図２に示す如く、前述した如くのＣ形鋼からなり、該形鋼の上部フランジとウエブに取付部材２３がボルト２４でボルト接合される。ボルト２４は、床大梁２１の上部フランジとウエブの外側面から、床大梁２１のボルト挿通孔２６Ａ、２６Ｂ、取付部材２３のボルト挿通孔２７Ａ、２７Ｂに挿入され、その挿入端にナット２８を螺着されて床大梁２１に取付部材２３を締結する。
【００４２】
床小梁２２は、図２、図３に示す如く、前述した如くの角鋼管からなり、該角鋼管の端部の全部（角鋼管の上下面の全部及び両側面の全部）をその長手方向に対し直角に切断して前述の取付端を形成する。
【００４３】
取付部材２３は、図４、図５に示す如く、床小梁２２の取付端の垂直端部に溶接固定される取付片２３Ａと、取付片２３Ａの上端から水平に前方へと延びる上支持片２３Ｂと、取付片２３Ａの下端から前方へと水平に延びた後に垂直に上方へと折り曲げられる下支持片２３Ｃとを有する。上支持片２３Ｂには前述したボルト挿通孔２７Ａが穿設され、下支持片２３Ｃには前述したボルト挿通孔２７Ｂが穿設される。
【００４４】
従って、建物ユニット１０にあっては、床小梁２２の左右の取付端に上述の如くに溶接固定された取付部材２３の上支持片２３Ｂが床大梁２１の上部水平面２１Ａに載せられてボルト２４によりボルト接合されるとともに、取付部材２３の下支持片２３Ｃの垂直折り曲げ部が大梁２１の垂直面２１Ｂに添設されてボルト２４によりボルト接合され、結果として床大梁２１に床小梁２２及び取付部材２３を取付けできる。
【００４５】
建物ユニット１０の品種変更により、床大梁２１の板厚が変化しても、建物ユニット１０の相対する床大梁２１の各ウエブ外側面がなす外法間隔Ｌ1は一定とされ、それら床大梁２１の各ウエブ内側面がなす内法間隔Ｌ2は変動し、結果として床大梁２１に対する床小梁２２の取付位置が変動することになる。本実施例では、取付部材２３の下支持片２３Ｃの長さＫを、床大梁２１に対する床小梁２２の取付位置調整代とし、床大梁２１に対する床小梁２２の取付位置の変動分をこの調整代Ｋの増減により吸収可能にする。図６（Ａ）は床大梁２１の板厚が小さく、取付間隔Ｋを増加させた場合、図６（Ｂ）は床大梁２１の板厚が大きく、取付間隔Ｋを減少させた場合を示す。
【００４６】
本実施例によれば以下の作用効果を奏する。
(a)床小梁２２の取付端に溶接固定した取付部材２３を床大梁２１の上部水平面２１Ａと垂直面２１Ｂにボルト接合した。床小梁２２を床大梁２１にボルト接合し、溶接するものでないから、床大梁２１が溶接に伴なう熱影響で変形することを防止できる。また、ボルト２４は床大梁２１の上部水平面２１Ａと垂直面２１Ｂに接合されるから、ボルト２４が床大梁２１の下に配置される他の部材に干渉することがない。
【００４７】
(b)床小梁２２の端部の全部をその長手方向に対し、直角に切断して取付端を形成するものであり、床小梁２２の加工は容易である。
【００４８】
(c)床小梁２２の取付端に溶接固定した取付部材２３を床大梁２１の上部水平面２１Ａに載せて該上部水平面２１Ａと垂直面２１Ｂにボルト接合することで、床小梁２２を建物の床大梁２１に対する定位置に仮止めでき、その取付作業性を向上できる。
【００４９】
(d)取付部材２３が床小梁２２の取付端の垂直端部に溶接固定される取付片２３Ａと、取付片２３Ａの上端から水平に延びる上支持片２３Ｂと、取付片２３Ａの下端から水平に延びた後に垂直に折り曲げられる下支持片２３Ｃとを有するものとすることにより、上述(a)〜(c)の取付部材２３を単純形状にし、この取付部材２３を簡易に床小梁２２の取付端に溶接固定するとともに、この取付部材２３を床大梁２１に安定的にボルト接合できる。
【００５０】
(e)角鋼管からなる床小梁２２の端部の全部をその長手方向に対し直角に切断することにより、上述(d)の床小梁２２の取付端を簡易に形成できる。
【００５１】
(f)床小梁２２の取付端に溶接固定した取付部材２３を形鋼からなる床大梁２１の上フランジとウエブに安定的にボルト接合できる。
【００５２】
(g)相対する床大梁２１の間に床小梁２２を架け渡すに際し、床大梁２１の板厚が変化すると、床小梁２２が配置される床大梁２１の内法間隔が変動し、床大梁２１に対する床小梁２２の取付位置が変動することになる。本発明では、取付部材２３の下支持片２３Ｃの長さＫを調整代Ｋとすることにより、一定長の床小梁２２を用いながら、床大梁２１に対する床小梁２２の取付位置を簡易に調整できる。
【００５３】
(h)建物ユニット１０の床大梁２１に床小梁２２を取付けるに際し、上述(a)〜(g)を実現できる。
【００５４】
（実施例２）
図７、図８は、建物ユニット１０の床大梁２１に床小梁２２の取付端を取付けるに際し、前述の取付部材２３に代わる取付部材４０を用いた例である。取付部材４０は、取付部材２３と基本的形態を同一にし、取付片２３Ａと上支持片２３Ｂと下支持片２３Ｃを備える上に、取付片２３Ａの左右両外縁部から取付片２３Ａに対し直角に折り曲げられて後方（支持片２３Ｂ、２３Ｃの延在方向と反対方向）に一定の長さに渡って延びる小梁溶接用舌片部４１を設ける。
【００５５】
取付部材４０の両側の舌片部４１がなす間隔（取付片２３Ａの横幅と同じ）は、床小梁２２の取付端の垂直端部の両側面がなす横幅と同一に設定される。これにより、取付部材４０の両側の舌片部４１の間に床小梁２２の取付端の垂直端部の両側面が差し込まれ、舌片部４１の後向き端面と床小梁２２の側面とが溶接固定（溶接部Ｗ）される。床大梁２１への取付部材４０のボルト接合構造は、床大梁２１への取付部材２３のボルト接合構造と実質的に同じである。
【００５６】
取付部材４０の取付片２３Ａに設けた舌片部４１と床小梁２２が上述の如くに溶接固定されるとき、取付片２３Ａと床小梁２２の取付端との間隔Ｊが、床大梁２１に対する床小梁２２の取付位置調整代とされる。床大梁２１の板厚の変化による、床大梁２１に対する床小梁２２の取付位置の変動分がこの調整代Ｊの増減により吸収される。床大梁２１の板厚が小さい場合には、間隔Ｊを増加させ、床大梁２１の床厚が大きい場合には、間隔Ｊを減少させる。
【００５７】
従って、本変形例によれば、前述(a)〜(f)の作用効果に加え、取付部材４０の取付片２３Ａに設けた小梁溶接用舌片部４１に対する、床小梁２２の取付端における垂直端部の側面の溶接固定位置を調整することにより、一定長の床小梁２２を用いながら、床大梁２１に対する床小梁２２の取付位置を簡易に調整できる。
【００５８】
（実施例３）
図１２は、建物ユニット１０の床大梁２１に床小梁２２の取付端を取付けるに際し、床大梁２１の板厚が変化しても、床大梁２１に寸法調整機能を設け、一定長、一定形状の床小梁２２と取付部材２３を使用可能にしたものである。
【００５９】
即ち、建物ユニット１０は、床小梁２２の左右の各端部の全部をその長手方向に対し直角に切断した取付端に取付部材２３を溶接固定し（溶接部Ｗ）、この取付部材２３を、相対する床大梁２１の上部水平面２１Ａ（床大梁２１の上部フランジの上面）に載せて、該上部水平面２１Ａと垂直面２１Ｂ（床大梁２１のウエブにおいて建物ユニット１０の内部に臨む内側面）に、上下２本のボルト２４でボルト接合される。
【００６０】
床大梁２１は、Ｃ形鋼からなり、該形鋼の上部フランジとウエブに取付部材２３がボルト２４でボルト接合される。ボルト２４は、床大梁２１の上部フランジとウエブの外側面から、床大梁２１のボルト挿通孔、取付部材２３のボルト挿通孔に挿入され、その挿入端にナット２８を螺着されて床大梁２１に取付部材２３を締結する。
【００６１】
床小梁２２は、角鋼管からなり、該角鋼管の端部の全部（角鋼管の上下面の全部及び両側面の全部）をその長手方向に対し直角に切断して前述の取付端を形成する。
【００６２】
取付部材２３は、床小梁２２の取付端の垂直端部に溶接固定される取付片２３Ａと、取付片２３Ａの上端から水平に前方へと延びる上支持片２３Ｂと、取付片２３Ａの下端から前方へと水平に延びた後に垂直に上方へと折り曲げられる下支持片２３Ｃとを有する。上支持片２３Ｂには前述したボルト挿通孔が穿設され、下支持片２３Ｃには前述したボルト挿通孔が穿設される。
【００６３】
従って、建物ユニット１０にあっては、床小梁２２の左右の取付端に上述の如くに溶接固定された取付部材２３の上支持片２３Ｂが床大梁２１の上部水平面２１Ａに載せられてボルト２４によりボルト接合されるとともに、取付部材２３の下支持片２３Ｃの垂直折り曲げ部２３Ｄが大梁２１の垂直面２１Ｂに添設されてボルト２４によりボルト接合され、結果として床大梁２１に床小梁２２及び取付部材２３を取付けできる。
【００６４】
建物ユニット１０の品種変更により、床大梁２１の板厚が変化しても、建物ユニット１０の相対する床大梁２１の各ウエブ外側面がなす外法間隔Ｌ1は一定とされ、それら床大梁２１の各ウエブ内側面がなす内法間隔Ｌ2は変動し、結果として床大梁２１に対する床小梁２２及び取付部材２３の取付位置が変動することになる。本実施例では、取付部材２３の下支持片２３Ｃの垂直折り曲げ部２３Ｄがボルト接合される床大梁２１の垂直面２１Ｂの一部に凸部２１Ｈをプレス調整する等により設け、この凸部２１Ｈの高さＨを床大梁２１に対する床小梁２２及び取付部材２３の取付位置調整代とし、床大梁２１に対する床小梁２２及び取付部材２３の取付位置の変動分をこの調整代Ｈの増減により吸収可能にする。図１２（Ａ）は床大梁２１の板厚が小さく、調整代Ｈを増加させた場合、図１２（Ｂ）は床大梁２１の板厚が大きく、調整代Ｈをゼロとした場合を示す。
【００６５】
本実施例によれば以下の作用効果を奏する。
(a)床小梁２２の取付端に溶接固定した取付部材２３を床大梁２１の上部水平面２１Ａと垂直面２１Ｂにボルト接合した。床小梁２２を床大梁２１にボルト接合し、溶接するものでないから、床大梁２１が溶接に伴なう熱影響で変形することを防止できる。また、ボルト２４は床大梁２１の上部水平面２１Ａと垂直面２１Ｂに接合されるから、ボルト２４が床大梁２１の下に配置される他の部材に干渉することがない。
【００６６】
(b)床小梁２２の端部の全部をその長手方向に対し、直角に切断して取付端を形成するものであり、床小梁２２の加工は容易である。
【００６７】
(c)床小梁２２の取付端に溶接固定した取付部材２３を床大梁２１の上部水平面２１Ａに載せて該上部水平面２１Ａと垂直面２１Ｂにボルト接合することで、床小梁２２を建物の床大梁２１に対する定位置に仮止めでき、その取付作業性を向上できる。
【００６８】
(d)取付部材２３が床小梁２２の取付端の垂直端部に溶接固定される取付片２３Ａと、取付片２３Ａの上端から水平に延びる上支持片２３Ｂと、取付片２３Ａの下端から水平に延びた後に垂直に折り曲げられる下支持片２３Ｃとを有するものとすることにより、上述(a)〜(c)の取付部材２３を単純形状にし、この取付部材２３を簡易に床小梁２２の取付端に溶接固定するとともに、この取付部材２３を床大梁２１に安定的にボルト接合できる。
【００６９】
(e)角鋼管からなる床小梁２２の端部の全部をその長手方向に対し直角に切断することにより、上述(d)の床小梁２２の取付端を簡易に形成できる。
【００７０】
(f)床小梁２２の取付端に溶接固定した取付部材２３を形鋼からなる床大梁２１の上フランジとウエブに安定的にボルト接合できる。
【００７１】
(g)相対する床大梁２１の間に床小梁２２を架け渡すに際し、床大梁２１の板厚が変化すると、床小梁２２及び取付部材２３が配置される床大梁２１の内法間隔が変動し、床大梁２１に対する床小梁２２及び取付部材２３の取付位置が変動することになる。本発明では、取付部材２３の下支持片２３Ｃの垂直折り曲げ部２３Ｄがボルト接合される床大梁２１の垂直面２１Ｂの一部に凸部２１Ｈを設け、この凸部２１Ｈの高さＨが床大梁２１に対する床小梁２２及び取付部材２３の取付位置調整代とすることにより、一定長、一定形状の床小梁２２及び取付部材２３を用いながら、床大梁２１に対する床小梁２２及び取付部材２３の取付位置を簡易に調整できる。
【００７２】
(h)建物ユニット１０の床大梁２１に床小梁２２を取付けるに際し、上述(a)〜(g)を実現できる。
【００７３】
（実施例４）
図１３は、建物ユニット１０の床大梁２１に床小梁２２の取付端を取付けるに際し、床大梁２１の板厚が変化しても、床大梁２１に寸法調整機能を設け、一定長、一定形状の床小梁２２と取付部材２３を使用可能にしたものである。
【００７４】
即ち、建物ユニット１０は、床小梁２２の左右の各端部の全部をその長手方向に対し直角に切断した取付端に取付部材２３を溶接固定し（溶接部Ｗ）、この取付部材２３を、相対する床大梁２１の上部水平面２１Ａ（床大梁２１の上部フランジの上面）に載せて、該上部水平面２１Ａと下部水平面２１Ｃ（床大梁２１の下部フランジの下面）に、上下２本のボルト２４でボルト接合される。
【００７５】
床大梁２１は、Ｃ形鋼からなり、該形鋼の上部フランジと下部フランジに取付部材２３がボルト２４でボルト接合される。ボルト２４は、床大梁２１の上部フランジと下部フランジの外側面から、床大梁２１のボルト挿通孔、取付部材２３のボルト挿通孔に挿入され、その挿入端にナット２８を螺着されて床大梁２１に取付部材２３を締結する。
【００７６】
床小梁２２は、角鋼管からなり、該角鋼管の端部の全部（角鋼管の上下面の全部及び両側面の全部）をその長手方向に対し直角に切断して前述の取付端を形成する。
【００７７】
取付部材２３は、床小梁２２の取付端の垂直端部に溶接固定される取付片２３Ａと、取付片２３Ａの上端から水平に前方へと延びる上支持片２３Ｂと、取付片２３Ａの下端から前方へと水平に延びる下支持片２３Ｃとを有する。上支持片２３Ｂには前述したボルト挿通孔が穿設され、下支持片２３Ｃには前述したボルト挿通孔が穿設される。
【００７８】
従って、建物ユニット１０にあっては、床小梁２２の左右の取付端に上述の如くに溶接固定された取付部材２３の上支持片２３Ｂが床大梁２１の上部水平面２１Ａに載せられてボルト２４によりボルト接合されるとともに、取付部材２３の下支持片２３Ｃが大梁２１の下部水平面２１Ｃに添設されてボルト２４によりボルト接合され、結果として床大梁２１に床小梁２２及び取付部材２３を取付けできる。
【００７９】
取付部材２３の上下の支持片２３Ｂ、２３Ｃがなす間隔は、床大梁２１の上下の水平面２１Ａ、２１Ｃの外法寸法（床大梁２１の全高）と同一に設定され、取付部材２３の上下の支持片２３Ｂ、２３Ｃは床大梁２１の上下の水平面２１Ａ、２１Ｃに外側から差し込まれてこれらを挟み込む。
【００８０】
建物ユニット１０の品種変更により、床大梁２１の板厚が変化しても、建物ユニット１０の相対する床大梁２１の各ウエブ外側面がなす外法間隔Ｌ1は一定とされ、それら床大梁２１の各ウエブ内側面がなす内法間隔Ｌ2は変動し、結果として床大梁２１に対する床小梁２２及び取付部材２３の取付位置が変動することになる。本実施例では、床大梁２１の上下の水平面２１Ａ、２１Ｃを挟み込む取付部材２３の上下の支持片２３Ｂ、２３Ｃの差し込み長さを、床大梁２１に対する床小梁２２及び取付部材２３の取付位置調整代とし、床大梁２１に対する床小梁２２及び取付部材２３の取付位置の変動分をこの調整代により吸収可能にする。
【００８１】
本実施例によれば以下の作用効果を奏する。
(a)床小梁２２の取付端に溶接固定した取付部材２３を床大梁２１の上部水平面２１Ａと下部水平面２１Ｃにボルト接合した。床小梁２２を床大梁２１にボルト接合し、溶接するものでないから、床大梁２１が溶接に伴なう熱影響で変形することを防止できる。
【００８２】
(b)床小梁２２の端部の全部をその長手方向に対し、直角に切断して取付端を形成するものであり、床小梁２２の加工は容易である。
【００８３】
(c)床小梁２２の取付端に溶接固定した取付部材２３を床大梁２１の上部水平面２１Ａに載せて該上部水平面２１Ａと下部水平面２１Ｃにボルト接合することで、床小梁２２を建物の床大梁２１に対する定位置に仮止めでき、その取付作業性を向上できる。
【００８４】
(d)取付部材２３が床小梁２２の取付端の垂直端部に溶接固定される取付片２３Ａと、取付片２３Ａの上端から水平に延びる上支持片２３Ｂと、取付片２３Ａの下端から水平に延びる下支持片２３Ｃとを有するものとすることにより、上述(a)〜(c)の取付部材２３を単純形状にし、この取付部材２３を簡易に床小梁２２の取付端に溶接固定するとともに、この取付部材２３を床大梁２１に安定的にボルト接合できる。
【００８５】
(e)角鋼管からなる床小梁２２の端部の全部をその長手方向に対し直角に切断することにより、上述(d)の床小梁２２の取付端を簡易に形成できる。
【００８６】
(f)床小梁２２の取付端に溶接固定した取付部材２３を形鋼からなる床大梁２１の上フランジと下フランジに安定的にボルト接合できる。
【００８７】
(g)相対する床大梁２１の間に床小梁２２を架け渡すに際し、床大梁２１の板厚が変化すると、床小梁２２及び取付部材２３が配置される床大梁２１の内法間隔が変動し、床大梁２１に対する床小梁２２及び取付部材２３の取付位置が変動することになる。本発明では、床大梁２１の上下の水平面２１Ａ、２１Ｃを挟み込む取付部材２３の上下の支持片２３Ｂ、２３Ｃの差し込み長さを、床大梁２１に対する床小梁２２及び取付部材２３の取付位置調整代とすることにより、一定長、一定形状の床小梁２２及び取付部材２３を用いながら、床大梁２１に対する床小梁２２の取付位置を簡易に調整できる。
【００８８】
(h)建物ユニット１０の床大梁２１に床小梁２２を取付けるに際し、上述(a)〜(g)を実現できる。
【００８９】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明は建物ユニットに限らず、広く一般の建物の大梁等の梁に、小梁等の横架材を取付けるに際し、横架材の取付端に溶接固定した取付部材を梁の垂直面にボルト接合する如くに適用できる。
【図面の簡単な説明】
【００９０】
【図１】図１は建物ユニットを示す斜視図である。
【図２】図２は小梁の取付構造を示し、（Ａ）は全体図、（Ｂ）は要部拡大図である。
【図３】図３は小梁を示し、（Ａ）は正面図、（Ｂ）は端面図である。
【図４】図４は取付部材を示し、（Ａ）は正面図、（Ｂ）は側面図である。
【図５】図５は小梁の取付構造の施工手順を示す模式図である。
【図６】図６は小梁の取付位置調整構造を示し、（Ａ）は大梁の板厚が小さい場合を示す正面図、（Ｂ）は大梁の板厚が大きい場合を示す正面図である。
【図７】図７は取付部材の変形例を示し、（Ａ）は正面図、（Ｂ）は側面図、（Ｃ）は平面図である。
【図８】図８は小梁の取付構造の施工手順を示す模式図である。
【図９】図９は従来例を示す正面図である。
【図１０】図１０は参考例を示す正面図である。
【図１１】図１１は参考例を示す正面図である。
【図１２】図１２は実施例３の小梁の取付構造を示し、（Ａ）は大梁の板厚が小さい場合を示す正面図、（Ｂ）は大梁の板厚が大きい場合を示す正面図である。
【図１３】図１３は実施例４の小梁の取付構造を示す正面図である。
【符号の説明】
【００９１】
１０  建物ユニット
２１  床大梁（大梁）
２１Ａ  上部水平面
２１Ｂ  垂直面
２１Ｃ  下部水平面
２１Ｈ  凸部
２２  床小梁(小梁)
２３、４０  取付部材
２３Ａ  取付片
２３Ｂ  下支持片
２３Ｃ  上支持片
２３Ｄ  垂直折り曲げ部
２４  ボルト
４１  小梁溶接用舌片部
【図１】
2008014126.tif 000003
【図２】
2008014126.tif 000004
【図３】
2008014126.tif 000005
【図４】
2008014126.tif 000006
【図５】
2008014126.tif 000007
【図６】
2008014126.tif 000008
【図７】
2008014126.tif 000009
【図８】
2008014126.tif 000010
【図９】
2008014126.tif 000011
【図１０】
2008014126.tif 000012
【図１１】
2008014126.tif 000013
【図１２】
2008014126.tif 000014
【図１３】
2008014126.tif 000015